(57)【要約】【課題】容易に多量のメダルを連続的に投入することを可能にした遊技機を提供する。【解決手段】本発明に係る遊技機１は、筐体２と、筐体２に形成され、複数のメダルを投入可能な開口１１ａを具備した投入口１１と、筐体内に設けられ、投入口１１から連続的に投入されたメダルを分離処理することが可能なメダル処理装置とを有している。そして、投入口１１の近傍には、複数枚のメダルを載置可能にする水平面１２ａが設けられている。【選択図】    図１
2005334333.tif 000002
【特許請求の範囲】
【請求項１】
筐体と、
前記筐体に形成され、複数の遊技媒体を投入可能な開口を具備した投入口と、
前記筐体内に設けられ、前記投入口から連続的に投入された遊技媒体を分離処理することが可能な遊技媒体処理装置と、
を有する遊技機であって、
前記投入口の近傍に、複数枚の遊技媒体を載置可能にする遊技媒体載置手段を設けたことを特徴とする遊技機。
【請求項２】
前記遊技媒体載置手段は、前記投入口の近傍に形成される水平面であることを特徴とする請求項１に記載の遊技機。
【請求項３】
前記遊技媒体載置手段は、前記投入口の近傍に形成され、前記投入口の開口に向けて傾斜する傾斜面であることを特徴とする請求項１に記載の遊技機。
【請求項４】
前記遊技媒体処理装置は、駆動モータと、所定の隙間をおいて設置され、投入口に投入された遊技媒体を、それぞれ投入側、及び排出側に導くように前記駆動モータによって回転駆動される第１回転ローラ、及び第２回転ローラと、前記駆動モータを支持すると共に、前記第１回転ローラ、及び第２回転ローラを回転可能に支持するベース部材と、前記駆動モータの回転駆動力を、前記第１回転ローラ及び第２回転ローラに伝達する動力伝達機構とを備えたことを特徴とする請求項１から３のいずれか１項に記載の遊技機。
【発明の詳細な説明】
【技術分野】
【０００１】
本発明は、メダルやコインのような遊技媒体を利用して遊技を行なう遊技機に関し、詳細には、前記遊技媒体を投入する投入口部分に特徴を有する遊技機に関する。
【背景技術】
【０００２】
一般的に、上記したような遊技媒体（以下、「メダル」と称する）を投入することで遊技が行なわれる遊技機として、例えば、特許文献１に開示されているようなプッシャーゲーム装置が知られている。通常、この種のプッシャーゲーム装置は、メダルを投入口に１枚づつ投入して、所定のターゲットに向けて放出するように構成されている。
【特許文献１】特開平４−１５０８８４号公報
【発明の開示】
【発明が解決しようとする課題】
【０００３】
しかし、上記したプッシャーゲーム装置は、メダルを１枚づつ投入する仕組みであるため、多量のメダルを投入するのが煩わしいという問題がある。すなわち、遊技者は、連続的にメダルを放出する場合、多量のメダルを手に握り込んでおき、それを１枚づつ摘んで連続的に投入口に入れ込む操作が必要とされ、操作が煩わしいという問題がある。特に、最近のプッシャーゲーム装置には、ターゲットに向けて多量のメダルを連続投入させることで遊技者に多くの利益を与えるものもあり、上記した特許文献に開示されているような投入口の構成では、遊技者にとって、楽に多量のメダルを連続的に放出することが困難である。
【０００４】
本発明は、上記した問題に基づいてなされたものであり、容易に多量のメダルを連続的に投入することを可能にした遊技機を提供することを目的とする。
【課題を解決するための手段】
【０００５】
上記した目的を達成するために、請求項１に係る遊技機は、筐体と、前記筐体に形成され、複数の遊技媒体を投入可能な開口を具備した投入口と、前記筐体内に設けられ、前記投入口から連続的に投入された遊技媒体を分離処理することが可能な遊技媒体処理装置とを有しており、前記投入口の近傍に、複数枚の遊技媒体を載置可能にする遊技媒体載置手段を設けたことを特徴とする。
【０００６】
上記した構成の遊技機によれば、投入口の近傍に設けられた遊技媒体載置手段に多数の遊技媒体（メダル）を載置しておくことが可能であり、遊技者は、遊技の開始に伴って、載置された多数のメダルを投入口の開口に向けて順次（連続的に）流し込むことが可能となる。そして、投入口に多数流し込まれたメダルは、重なった状態になるものの、遊技媒体処理装置によって分離処理され、その後、所定の経路に従って、例えば、その有効性を識別する識別装置（セレクタ）に案内されて、メダル蓄積部や遊技領域等に向けて案内される。
【０００７】
また、請求項２に係る遊技機では、前記遊技媒体載置手段は、前記投入口の近傍に形成される水平面であることを特徴とする。
【０００８】
このように遊技媒体載置手段を水平面にしておくことで、その上に多数のメダルを安定して蓄積しておくことが可能となり、遊技者は、蓄積されたメダルを押し出す等して、投入口に連続的に投入することが可能となる。
【０００９】
また、請求項３に係る遊技機では、前記遊技媒体載置手段は、前記投入口の近傍に形成され、前記投入口の開口に向けて傾斜する傾斜面であることを特徴とする。
【００１０】
このように遊技媒体載置手段を投入口の開口に向かう傾斜面にしておくことで、遊技者は、例えば、メダルを傾斜面に沿って指で抑え付けて保持しておき、遊技と共に、指を離すことで、傾斜面に沿って連続的にメダルを投入口に流し込むことが可能となる。
【００１１】
また、請求項４に係る遊技機では、前記遊技媒体処理装置は、駆動モータと、所定の隙間をおいて設置され、投入口に投入された遊技媒体を、それぞれ投入側、及び排出側に導くように前記駆動モータによって回転駆動される第１回転ローラ、及び第２回転ローラと、前記駆動モータを支持すると共に、前記第１回転ローラ、及び第２回転ローラを回転可能に支持するベース部材と、前記駆動モータの回転駆動力を、前記第１回転ローラ及び第２回転ローラに伝達する動力伝達機構とを備えたことを特徴とする。
【００１２】
このような構成の遊技媒体処理装置では、投入口に多数流し込まれたメダルは、重なった状態になるものの、上記した同一方向に回転する第１回転ローラと第２回転ローラとの間の隙間で分離作用を受け、１枚づつ高速分離処理することが可能となる。
【発明の効果】
【００１３】
本発明によれば、メダルを投入して遊技を行なう遊技機において、メダルを投入口の近傍に多数、蓄積しておくことができるので、連続的にメダルを投入する際の操作が簡単に行なえると共に、多量のメダルの投入操作が楽に行なえるようになる。
【発明を実施するための最良の形態】
【００１４】
以下、本発明に係る遊技機の実施形態を具体的に説明する。  
図１から図３は、本発明に係る遊技機の実施形態を示す図であり、図１は、遊技機の一例であるプッシャーゲーム装置の一構成例を示す図、図２は、メダルが投入される部分を裏側から見た図、そして、図３は、投入口部分を拡大して示す図である。
【００１５】
プッシャーゲーム装置１は、筐体２を備えており、筐体２の内部には、外部から視認可能な遊技領域３が設けられている。遊技領域３には、水平面３ａが形成されると共に、水平面３ａ上で矢印方向に往復動するプッシャ３ｂが配置されている。前記水平面３ａ上には、多数の遊技媒体（メダル）が蓄積されており、プッシャ３ｂが矢印方向に往復動することで、水平面３ａ上に蓄積されたメダルは、手前にある絶壁（図示せず）から落下して、メダルトレイ４に報酬として排出される。この場合、遊技者は、手持ちのメダルを前記水平面３ａ、及びプッシャ３ｂの前端壁に向けて放出することで、予め水平面３ａ上に多数、蓄積されたメダルをプッシャ３ｂの動作によって獲得する。
【００１６】
前記筐体２には、遊技者側に突出するように台座５が形成されており、この台座には、遊技者によって矢印方向に回動操作される回動レバー６が設置されている。この回動レバー６の基端側は、前記水平面３ａにメダルを送り込むスロープ６ａを駆動する駆動機構６ｂに接続されており、遊技者が回動レバー６を回動操作することによって、スロープ６ａを矢印方向に回動して、メダルをターゲット方向に放出できるように構成されている。なお、スロープ６ａを回動させるための駆動機構６ｂについては、本発明の主要な構成ではないため、その詳細な説明については省略する。
【００１７】
また、前記台座部５には、メダルが投入される投入口１１が形成されたフロントプレート１２が配設されている。この場合、投入口１１を規定する開口１１ａの大きさは、複数のメダルが同時投入できる程度の大きさに形成されている。また、フロントプレート１２には、複数枚のメダルを載置可能にする遊技媒体載置手段としての水平面１２ａが形成されている。この水平面１２ａは、投入口１１から、遊技者側、すなわち手前側に向けて延びており、遊技者は、その上に載置した多数のメダルを奥側に押し出すことによって、そのまま投入口１１に投下することが可能となっている。なお、図面では、メダルを多数積み上げた状態を示しているが、単にランダム状に積層しておいても良い。
【００１８】
そして、筐体２内には、上記した投入口１１の下方側に、後述する遊技媒体処理装置（以下、メダル処理装置）１０が配設されており、上記した投入口１１から連続的に、或いは重なった状態で投入されるメダルを高速に処理（多量に投入されたメダルを分離して、１枚づつ識別装置の識別部に案内する）できるよう構成されている。この場合、上記した投入口１１が形成されたフロントプレート１２は、メダル処理装置１０と一体形成されたものであっても良いし、上記した遊技機の台座５に一体形成されたものであっても良い。
【００１９】
メダル処理装置１０は、上記したように、投入口１１を介して連続的、或いは重ねて投入される多数のメダルを受け取り、これを１枚づつ分離処理し、分離されたメダルを、その有効性を識別する識別装置１００に案内するようになっている。すなわち、メダル処理装置１０で１枚づつ分離されたメダルは、そのまま落下して識別装置１００の搬送路１０１に案内され、この搬送路１０１の途中に設けられた識別部（図示せず）において、例えば、その重量、厚さ、径等、所定のパラメータが測定される。そして、ここで有効と判断されたメダルはそのまま搬送路１０１を移動し、その後、上記した矢印方向に往復回動されるスロープ６ａに起立した状態で案内される。また、有効でないと判断されたメダルは、例えば、別の搬送路を介して、メダルトレイ４に返却される。
【００２０】
なお、上記したメダル処理装置１０は、識別装置１００に対して別のユニットとして構成されていても良いし、一体的に一つのユニットとして構成されていても良い。
【００２１】
次に、図４から図７を参照して、上記した遊技機の筐体２内に設置され、投入口１１から投入される多数のメダルを連続して高速処理することが可能なメダル処理装置１０の好ましい構成について説明する。なお、これらの図において、図４は、メダル処理装置全体の分解斜視図、図５は、ベース部材の構成を示す図、図６は、ベース部材に形成される案内路の構成を示す図、そして、図７（ａ）は、ベース部材の側面図、図７（ｂ）は、図７（ａ）のＩ−Ｉ線に沿った断面図である。
【００２２】
メダル処理装置１０は、遊技機の筐体に装着され、例えば、ＰＡ系の樹脂によって構成されるベース部材１５を備えている。このベース部材１５の下方の一端側には、正転駆動、逆転駆動が可能な駆動モータ１７（ＤＣモータ）が装着されており、その上部には、前記投入口１１に投入されて落下するメダルをそのまま受け取り、受け取ったメダルを、それぞれ投入側、及び排出側に導くように、前記駆動モータ１７によって回転駆動される第１回転ローラ１８、及び第２回転ローラ１９が回転可能に支持されている。
【００２３】
各回転ローラ１８，１９は、ベース部材１５の内部で、図７に示すように、メダル１枚程度の厚さ分（ニップ部Ｎ）離間して回転可能に支持されており、第１回転ローラ１８は、投入されたメダルを内部に搬送するように矢印Ａ方向に回転駆動され、第２回転ローラ１９は、投入されたメダルを排出するように矢印Ｂ方向に回転駆動される（側面視において、同一方向に回転駆動される）。このような回転ローラ１８，１９の回転駆動によって、投入口１１から連続して多数落下するメダルは、複数枚重なっていても、ニップ部Ｎにおいて１枚に分離されて、さらに下方に搬送されるようになっている。
【００２４】
なお、各回転ローラ１８，１９は、コスト的に安価な材料、例えば、ウレタンゴム等によって構成されており、その表面には、メダルとの間で摩擦力を高めるように、ローレット目等を形成しておくことが好ましい。このように、メダルと回転ローラとの間の摩擦力を、重なったメダル同士の摩擦力より確実に大きくしておくことで、重なったメダルの分離を確実に行なうことが可能となる。
【００２５】
また、本実施形態では、上記したベース部材１５は、ネジ等によって、回転ローラの軸方向に向けて分離可能な第１ベース１５Ａ、及び第２ベース１５Ｂによって構成されており、前記回転ローラ１８，１９を回転駆動する駆動軸１８ａ，１９ａの両端は、夫々、第１ベース１５Ａ、及び第２ベース１５Ｂに回転可能に支持されている。すなわち、各回転ローラ１８，１９は、第１ベース１５Ａ、及び第２ベース１５Ｂ間に位置するように、回転可能に支持されている。
【００２６】
前記第１ベース１５Ａには、フロントプレート１２に形成される投入口１１に対応するように、切欠き２０が形成されると共に、この切欠き２０には、図５に示すように、連続して下方に延出するメダル案内用の案内路２２が形成されている。前記回転ローラ１８，１９は、この案内路２２を中心として対向するように支持されており、この案内路２２の途中で、上記したニップ部Ｎを形成している。
【００２７】
第１ベース１５Ａには、回転ローラ１８，１９の駆動軸１８ａ，１９ａを挿通させる孔２３，２４が形成されていると共に、駆動モータ１７の回転駆動軸１７ａを挿通させる孔２５が形成されている。この場合、第２ベース１５Ｂにも、同様に、回転ローラ１８，１９の各駆動軸１８ａ，１９ａを挿通させる孔が形成されている。
【００２８】
駆動軸１８ａ，１９ａの各ベース１５Ａ，１５Ｂに対する支持方法は、駆動軸が回転可能に支持されるものであれば良く、転がり式の軸受で構成したり、或いは、図に示すように、ブシュ３０で構成したものであっても良い。後者の場合、耐摩耗性に優れた材料、例えば、ＰＯＭ（ジュラコン）で構成することで、安価な構成となり、コストを低減することが可能となる。また、ブシュ３０を抜け止め保持する部材、例えば、ＳＵＳ（ステンレス）等によって構成されたＥリング３２を配置しておくことが好ましく、図７に示すように、ブシュ３０とＥリング３２との間に僅かな隙間を設けておくことで、駆動軸のスラストガタを効果的に抑制することが可能となる。なお、支持部分については、上記したような軸受部材を設けない構成であっても良い。
【００２９】
また、前記第１ベース１５Ａ側には、上記した駆動モータ１７の回転駆動力を、第１回転ローラ１８及び第２回転ローラ１９に伝達する動力伝達機構４０が設けられている。動力伝達機構４０は、第１回転ローラ１８及び第２回転ローラ１９を同一方向に回転駆動するように、第１回転ローラ１８及び第２回転ローラ１９の各駆動軸１８ａ，１９ａを第１ベース１５Ａから突出させ、ここに装着される第１プーリ４１及び第２プーリ４２と、駆動モータ１７の回転駆動軸１７ａに装着される駆動プーリ４３と、各プーリ４１，４２，４３に巻回される駆動ベルト４５とを備えて構成されている。すなわち、このような動力伝達機構の構成によれば、駆動モータ１７が回転駆動されることで、上記した夫々のプーリ４１，４２，４３、及びこれらに巻回される駆動ベルト４５を介して、各回転ローラ１８，１９は、上述した方向に回転駆動されるようになる。
【００３０】
また、前記第２ベース１５Ｂ側には、投入口にメダルが投入された際、その投入を検知して、前記駆動モータ１７を回転駆動するための検知手段４８が配設されている。この検知手段４８は、例えば、投入口１１の長辺部分に、発光素子４８ａと受光素子４８ｂを対向するように配置した透過型のセンサで構成することが可能である。もちろん、検知手段は、このような光学式のセンサ以外にも、メダルの当接を検知する機械的なセンサで構成しても良い。
【００３１】
上記したように構成される動力伝達機構４０には、駆動モータ１７に所定値以上の負荷が掛かった際に、駆動モータ１７が空回りできるように空回り手段を設けておくことが好ましい（駆動モータ１７に所定値以上の負荷が加わるのは、主に、上記したニップ部Ｎにおいて、メダルの自重によって詰まりが生じた場合等である）。この空回り手段は、例えば、図８に示すように、駆動ベルト４５を断面円形状の丸ベルトとし、かつ各プーリに、丸ベルトが巻回される断面Ｖ状の溝５０を形成することで構成することが可能である。
【００３２】
このように駆動ベルト４５を丸ベルトとし、各プーリに丸ベルトが巻回される断面Ｖ状の溝５０を形成することで、両者の接触部分が点接触状態となって係合部分での摩擦力が抑制されるため、回転ローラ１８，１９の回転が阻害され各プーリ４１，４２が停止状態になっても、駆動ベルト４５は摺動することが可能となり、駆動モータ１７は空回りすることが可能となる。すなわち、第１回転ローラ１８と第２回転ローラ１９との間のニップ部Ｎでメダルが詰まっても、上記した空回り手段によって、駆動ベルト４５は、回転が阻害されたプーリ４１，４２の回りを摺動することができるため、駆動モータ１７の回転駆動が強制的に停止されることはなく、駆動モータの消耗が抑制される。また、駆動ベルト４５を丸ベルトで構成したことにより、その断面形状は円形で方向性がないため、耐摩耗性に優れると共に、柔軟性及び衝撃吸収性に優れた特性が発揮される。
【００３３】
なお、上記した空回り手段において、各プーリ４１，４２，４３は、耐摩耗性に優れた材料、例えば、ＰＯＭで構成し、丸ベルトは、そのようなプーリに対して摺動できるように、ポリウレタン等の材料によって構成しておけば良い。また、空回り手段は、上記した構成以外にも、駆動軸に装着され、所定の負荷が加わった際に回転を許容するトルクリミッタ等によって構成することも可能である
また、上記したベース部材１５の内部に形成される案内路２２は、図５及び図６に示すように、投入口１１から投入されるメダルの進入方向に対して屈曲するように形成しておくのが好ましい。具体的には、投入口１１は、図６の断面図で示すように、投入口１１の開口１１ａからニップ部に向けて、対向壁部が次第に接近するように形成されており、多数のメダルが投入された際、必然的にニップ部に移行するようになっている。そして、ニップ部の上方領域で重なった状態にあるメダルは、ニップ部におけるローラ作用によって１枚に分離され、そのまま案内路２２に案内される。この際、ニップ部で分離されたメダルは、両回転ローラ１８，１９の共通の接線方向であるＸ方向に沿って進入するが、案内路２２は、このようなＸ方向に平行に形成されるのでなく、Ｘ方向に対して屈曲するように形成しておく（図に示す案内路２２は、円弧状に湾曲形成されており、Ｘ方向は、案内路２２を規定する湾曲した壁部と交わるように形成されている）。
【００３４】
案内路２２を、上記したように屈曲形成しておくことで、内部に異物等を侵入し難くくすることができ、また、意図的に異物等を投入口１１から差し込もうとしても、屈曲した壁面によってその挿入が効果的に阻害されるため、図２に示した識別装置１００の識別部を不正に操作することが防止できる。なお、案内路は、湾曲に形成する以外にも、直線状に屈曲形成したものであっても良い。
【００３５】
また、上記した回転ローラ１８，１９のニップ部において、メダル詰まりが生じた場合に、上記した駆動モータ１７を逆転駆動して、詰まったメダルを容易に除去できるように構成しておくことが好ましい。そして更には、このように駆動モータ１７を逆転駆動する場合、排出側に回転駆動される第２回転ローラ１９の回転を規制するように、ワンウェイクラッチ６０を設置しておくことが好ましい。具体的にワンウェイクラッチ６０を設置する場合、図４及び図７に示すように、第２プーリ４２と、第２回転ローラ１９の駆動軸１９ａとの間に配置しておけば良い。
【００３６】
ここで、ワンウェイクラッチ６０の構成、及びその機能について説明する。  
ワンウェイクラッチ６０は、図９に示すように、外輪部材６１と、外輪部材の内側において、保持器６２によって保持されると共に、駆動軸１９ａに対して転動する複数のコロ６３とを備えている。前記外輪部材６１の内周面には、前記各コロがフリーに回転できるフリー回転領域６１ａと、各コロの回転を規制する楔領域６１ｂが隣接して形成されており、各コロ６３は、保持器６２との間に設置されたバネ部材６５により、楔領域に向けて付勢された状態にある。また、外輪部材６１の外周には、所定間隔をおいて、回り止め固定用の突片６１ｃが形成されており、この部分が第２プーリ４２に形成された嵌合部（図示せず）に嵌合されることで、ワンウェイクラッチ６０は、第２プーリ４２に回り止め固定された状態となっている。なお、ワンウェイクラッチ６０と第２プーリは一体形成されたもの、すなわち、外輪部材に第２プーリ４２を一体形成したものであっても良い。
【００３７】
上記した構成のワンウェイクラッチ６０は、駆動モータ１７が正転駆動（メダルの分離処理時）されて、図９に示すように、第２プーリが矢印方向に回転駆動されると、各コロ６３は、外輪部材６１の回転方向、及びバネ部材６５の付勢力によって楔領域６１ｂに噛み込まれた状態で係合し、外輪部材６１と駆動軸１９ａとは一体回転可能な状態となっている。すなわち、駆動モータ１７の正転駆動によって第２プーリは矢印方向に回転すると共に、駆動軸１９ａ（第２回転ローラ１９）も、上記した係合関係によって一体的に同方向に回転駆動される。
【００３８】
そして、上記したメダルの処理中、ニップ部Ｎでメダル詰まりが生じたような場合、駆動モータ１７は逆転駆動される。これにより、駆動ベルト４５は、図７において時計回り方向に回転駆動し、投入側に回転駆動される第１回転ローラ１８は、排出方向に回転しようとする。また、駆動モータ１７の逆転駆動により、第２回転ローラ１９は、逆に投入側に回転しようとするが、ワンウェイクラッチ６０によって回転が規制されるため、投入側に回転駆動されることはない。すなわち、図９に示すように、第２プーリは矢印方向と反対方向に回転駆動されることから、各コロ６３は、外輪部材６１の回転方向によってバネ部材６５の付勢力に抗してフリー回転領域６１ａに位置するようになる。このとき、各コロ６３は、フリー回転領域６１ａで回転するだけであり、外輪部材６１の回転は、駆動軸１９ａに伝達されることはない。このため、駆動モータ１７の逆転駆動力は、駆動軸１９ａ（第２回転ローラ１９）には伝達されない状態となっている。
【００３９】
この結果、上記したように、駆動モータ１７が逆転駆動されることによって、第１回転ローラ１８は排出方向に回転駆動され、かつ第２回転ローラ１９は回転しないことから、排出側に回転駆動される第１回転ローラ１８によって、メダルの引き込み動作を受けることなく、メダル詰まりを容易に除去することが可能となる。
【００４０】
さらに、上記した構成において、動力伝達機構４０に、前記投入側に回転駆動される第１回転ローラ１８よりも、前記排出側に回転駆動される第２回転ローラ１９の回転駆動速度を遅くする差動手段を設けておくことが好ましい。
【００４１】
この場合、差動手段は、動力伝達機構４０が、上記したように、プーリと駆動ベルトによる構成を採用していることから、図７に示すように、第１回転ローラ１８を回転駆動する第１プーリ４１の径ｒよりも、第２回転ローラ１９を回転駆動する第２プーリ４２の径Ｒを大きくすることで構成されている。すなわち、このような差動手段を設けたことにより、駆動ベルト４５が駆動モータ１７によって回転駆動されると、第２回転ローラ１９は、第１回転ローラ１８の回転駆動速度よりも遅くなるように回転駆動されるようになる。第２回転ローラ１９は、メダルの投入方向と反対方向に回転駆動されることから、投入されるメダルによって大きな衝撃を受けるものの、回転駆動速度が、第１回転ローラ１８よりも遅くなるため、メダルが多数投入されても衝撃力が緩和され、摩擦抵抗を抑えて消耗を抑制することが可能になる。特に、上記した構成では、投入口１１から勢い良くニップ部Ｎに向けて多数のメダルが投下されることも有り得るが、このような使用態様であっても、第２回転ローラ１９の消耗を効果的に抑制することが可能となる。
【００４２】
なお、上記した構成では、動力伝達機構をプーリと摩擦による駆動ベルトによって構成し、差動手段はプーリの径を変えることで構成したが、動力伝達機構をギヤトレインによって構成すると共に、差動手段はギヤ比を変えることで構成しても良い。また、上記した差動手段の構成に加え、或いは差動手段に関係なく、第２回転ローラ１９を、第１回転ローラ１８に対して、耐摩耗性に優れた材料によって構成しておくことで、より効果的に排出側に回転駆動される第２回転ローラの消耗を抑制することも可能となる。
【００４３】
以上のようなメダル処理装置１０、及びそれを組み込んだプッシャーゲーム装置１によれば、遊技者は、予め水平面１２ａに多量のメダルを載置しておき、それを投入口１１に向けて、単に押し込みながら回動レバー６を回動操作することによって、多量のメダルを容易にターゲット方向に向けて放出することが可能になる。
【００４４】
この場合、メダルが連続的に投入されるメダル処理装置１０では、投入口１１にメダルが投入されると、検知手段４８がメダルの投入を検知して、駆動モータ１７が正転駆動される。そして、駆動モータ１７が正転駆動されると、その回転駆動力は、上記した動力伝達機構４０を介して回転ローラ１８，１９に伝達され、各回転ローラを同方向、すなわち、回転ローラ１８をメダル投入方向、回転ローラ１９をメダル排出方向に回転駆動する。これにより、投入口に連続的に多数投入されたメダルは、ニップ部Ｎにおいて１枚に分離され、その後、案内路２２に沿って移動し、そのまま識別装置１００に順次移送されて、スロープ６ａに沿って図１に示す水平面３ａに放出される。
【００４５】
上記したように構成されるメダル処理装置１０によれば、駆動モータ１７からの出力は、そのまま駆動モータの回転駆動軸１７ａに装着される駆動プーリ４３を介して、第１プーリ４１及び第２プーリ４２に伝達されて第１回転ローラ１８及び第２回転ローラ１９を駆動する構成のため、動力伝達機構４０の構成が簡略化され、低コスト化が図れると共に装置全体をコンパクト化することが可能となる。
【００４６】
また、上記した構成では、ベース部材１５を、互いに分離可能な第１ベース１５Ａと第２ベース１５Ｂで構成すると共に、一方のベース１５Ａ側に、前記第１プーリ４１、第２プーリ４２、及び駆動プーリ４３を露出するように配置したことから、例えば、内部にメダルや異物等が詰まっても、単に第１ベースと第２ベースを分離することで容易に取り除くことが可能となり、メンテナンス等が容易に行なえるようになる。また、第１ベース１５Ａに、メダルを案内する案内路２２を一体形成したことにより、投入口１１に投入されたメダルは、第１回転ローラ１８と第２回転ローラ１９との間のニップ部Ｎで１枚づつ分離された後、案内路２２を介して、そのまま確実に識別装置１００側に連続的に搬送されるようになる。
【００４７】
以上、本発明の実施形態について説明したが、本発明は、上記した実施形態に限定されることはなく、種々変形することが可能である。例えば、メダルが多数載置可能な遊技媒体載置手段は、上記した実施形態のように、水平面１２ａとして構成する以外にも、図１０に示す遊技機２００のように構成しても良い。この遊技機２００は、遊技領域２０３でカードゲームが実施されるように構成されたものであり、筐体の一部である前面扉２０２のフロントプレート（台座）１２に設けられたメダル投入口１１の近傍には、図１１に示すように、投入口１１の開口１１ａに向けて下降するように傾斜する傾斜面１２ｃが形成されている。
【００４８】
このように、遊技媒体載置手段を傾斜面１２ｃとしたことで、図１１に示すように、多数のメダルを載置すると共に、載置したメダルを指で抑えておき、遊技状況に応じて、単に指を放すことで、連続的に投入口１１にメダルを投入することが可能となる。
【００４９】
もちろん、遊技媒体載置手段は、このような傾斜面と、上記した実施形態の水平面を組み合わせて形成したものであっても良い。また、メダルが載置される部分は、投入口１１の近傍に形成されたものであれば良く、例えば、投入口１１よりも奥側に形成しておくことにより、蓄積されたメダルを手前にかき出すことで、投入口１１に連続的に投入することも可能である。
【００５０】
また、上記したメダル処理装置１０は、一例を示したに過ぎず、投入口１１に対して上記したように連続的に投入されるメダルを効率的に処理できるものであれば、各種構成のものを設置することが可能である。なお、図に示した構成のメダル処理装置は、図６及び図１１に示すように、投入側に回転する第１回転ローラ１８が、排出側に回転する第２回転ローラ１９よりも、上方に位置するように配置されているが、投入口１１の内部形状等に応じて、その配置態様は、種々変形することが可能である。例えば、これらの図に示した構成においては、第１回転ローラ１８の位置を、第２回転ローラ１９の位置よりも下方側にシフトさせて配置するのが好ましい。すなわち、多数投入されるメダルを、最初に、排出側に回転する第２回転ローラ１９の外周に当接させるように配置することで、自重によって多数のメダルが一度にニップ部に入り込むことが抑制され、詰まり等を発生し難くしてメダルを分離処理することが可能となる。
【図面の簡単な説明】
【００５１】
【図１】本発明に係る遊技機の実施形態を示す図であり、遊技機の一例であるプッシャーゲーム装置の一構成例を示す図。
【図２】メダルが投入される部分を裏側から見た図。
【図３】投入口部分を拡大して示す図。
【図４】メダル処理装置全体の分解斜視図。
【図５】ベース部材の構成を示す図。
【図６】ベース部材に形成される案内路の構成を示す図。
【図７】（ａ）は、ベース部材の側面図、（ｂ）は、図（ａ）のＩ−Ｉ線に沿った断面図。
【図８】プーリと駆動ベルトとの係合状態を示す断面図。
【図９】ワンウェイクラッチの構成を示す図。
【図１０】遊技機の別の実施形態を示す図。
【図１１】図１０に示す遊技機において、投入口部分の断面図。
【符号の説明】
【００５２】
１  遊技機（プッシャーゲーム装置）
２  筐体
１０  メダル処理装置（遊技媒体処理装置）
１１  投入口
１１ａ  開口
１２ａ  水平面（遊技媒体載置手段）
１２ｃ  傾斜面（遊技媒体載置手段）
１５  ベース部材
１７  駆動モータ
１８  第１回転ローラ
１９  第２回転ローラ
４０  動力伝達機構
４１  第１プーリ
４２  第２プーリ
４３  駆動プーリ
４５  駆動ベルト
２００  遊技機（ポーカーゲーム機）
【図１】
2005334333.tif 000003
【図２】
2005334333.tif 000004
【図３】
2005334333.tif 000005
【図４】
2005334333.tif 000006
【図５】
2005334333.tif 000007
【図６】
2005334333.tif 000008
【図７】
2005334333.tif 000009
【図８】
2005334333.tif 000010
【図９】
2005334333.tif 000011
【図１０】
2005334333.tif 000012
【図１１】
2005334333.tif 000013